(57)【要約】【課題】洗車エラーを回避できる洗車機を提供する。【解決手段】被洗浄車両ＣＡに対して前後に相対移動する洗車機本体１と、洗車機本体１に設けられて被洗浄車両ＣＡの側面を洗浄するサイドブラシ５と、洗車機本体１の上部に横設されるレール２６と、サイドブラシ５を左右方向に傾斜可能に支持する保持部２５と、保持部２５に軸支してモータ３６の駆動によりレール２６の上面を転動する駆動車輪２７と、保持部２５に軸支して駆動車輪２７よりも内側に配されるとともにレール２６の上面を転動する第１従動ローラ３４と、保持部２５に上下移動可能に支持されて第１従動ローラ３４よりも外側に配されるとともにレール２６の下面を転動する第２従動ローラ２９と、第２従動ローラ２９を上方に付勢するローラ付勢部３２とを備えた。【選択図】図４
2020097420.tif 000002
【特許請求の範囲】
【請求項１】
被洗浄車両に対して前後に相対移動する洗車機本体と、前記洗車機本体に設けられて被洗浄車両の側面を洗浄するサイドブラシと、前記洗車機本体の上部に横設されるレールと、前記サイドブラシを左右方向に傾斜可能に支持する保持部と、前記保持部に軸支してモータの駆動により前記レールの上面を転動する駆動車輪と、前記保持部に軸支して前記駆動車輪よりも内側に配されるとともに前記レールの上面を転動する第１従動ローラと、前記保持部に上下移動可能に支持されて前記第１従動ローラよりも外側に配されるとともに前記レールの下面を転動する第２従動ローラと、前記第２従動ローラを上方に付勢するローラ付勢部とを備えたことを特徴とする洗車機。
【請求項２】
前記保持部と前記サイドブラシとを連結して前記サイドブラシを被洗浄車両の方向に付勢するブラシ付勢部を備えたことを特徴とする請求項１に記載の洗車機。
【請求項３】
前記第２従動ローラが左右方向で前記駆動車輪と前記第１従動ローラとの間に配されることを特徴とする請求項１または請求項２に記載の洗車機。
【請求項４】
前記サイドブラシの傾斜中心に対して前記駆動車輪及び前記第２従動ローラが外側に配され、前記第１従動ローラが内側に配されることを特徴とする請求項３に記載の洗車機。
【請求項５】
前記保持部の前後に対向する対向壁と、前記対向壁に開口する上下に延びる長孔と、前記長孔に挿通されるシャフトと、前記長孔の下方で前後の前記対向壁を連結する底壁とを備え、
前記第２従動ローラが前記シャフトに軸受を介して支持され、前記ローラ付勢部が前記シャフトと前記底壁との間に配される圧縮バネから成ることを特徴とする請求項１〜請求項４のいずれかに記載の洗車機。
【請求項６】
前記底壁に螺合して前記圧縮バネが挿通されるボルトと、前記ボルトに螺合して前記圧縮バネと前記底壁との間に配される調整ネジとを備えたことを特徴とする請求項５に記載の洗車機。
【発明の詳細な説明】
【技術分野】
【０００１】
本発明は、被洗浄車両の側面を洗浄するサイドブラシを備えた洗車機に関する。
【背景技術】
【０００２】
従来の洗車機は特許文献１に開示されている。この洗車機は被洗浄車両に対して前後方向に移動させる洗車機本体を備えている。洗車機本体は左右の対向する２つのスタンド部と、スタンド部の上端を連結する天井部とを有して被洗浄車両を跨ぐ門型に形成される。
【０００３】
洗車機本体には被洗浄車両の側面を洗浄する左右一対のサイドブラシが設けられる。サイドブラシは回転軸を上下方向に配され、保持部により左右方向に傾斜可能に支持される。保持部は洗車機本体の上部に横設されたレール上を移動する。
【０００４】
保持部には回転モータ、移動モータ、駆動車輪、第２従動ローラ及び第１従動ローラが設けられる。回転モータの駆動によりサイドブラシが回転する。駆動車輪は保持部に軸支してサイドブラシの傾斜中心よりも外側に配され、移動モータの駆動によりレールの上面を転動する。
【０００５】
第２従動ローラは保持部に軸支してサイドブラシの傾斜中心の内側及び外側に配され、
レールの下面を転動する。第１従動ローラは保持部に軸支してサイドブラシの傾斜中心の内側に配され、レールの上面を転動する。また、保持部とサイドブラシとを連結してサイドブラシを被洗浄車両の側面に押しつける方向に付勢するブラシ付勢部が設けられる。
【０００６】
上記構成の洗車機において、洗車機本体が前後方向に移動して洗車が開始される。サイドブラシは回転モータの駆動により回転しながら、移動モータの駆動によって左右方向に移動する。サイドブラシは被洗浄車両の側面に接触するとブラシ付勢部の付勢力に抗して傾斜して被洗浄車両に押しつけられる。サイドブラシが所定の傾斜角度に配されると洗車機本体が移動して被洗浄車両の側面が洗浄される。
【０００７】
また、サイドブラシは傾斜限界まで傾斜するとサイドブラシに設けたストッパが保持部の所定位置に当接し、サイドブラシとともに保持部が傾斜する方向に加重される。このため、サイドブラシの傾斜中心よりも外側に配される駆動車輪にレールから加わる抗力が低下し、駆動車輪が空転する。これにより、被洗浄車両により押圧されるサイドブラシを第１、第１従動ローラの転動によって被洗浄車両から退避させることができる。
【先行技術文献】
【特許文献】
【０００８】
【特許文献１】特開２００５−７９８０公報
【発明の概要】
【発明が解決しようとする課題】
【０００９】
しかしながら、上記従来の洗車機によると、経年使用により駆動車輪が摩耗すると、第２従動ローラとレールとの隙間が大きくなる。この時、サイドブラシが被洗浄車両に当接して傾斜すると、第２従動ローラがレールに接触するまで保持部が傾斜して駆動車輪が空転する場合がある。特に、ワゴン車等の車高の大きい被洗浄車両は天井面の左右端がサイドブラシの高い位置に当接する。このため、サイドブラシがブラシ付勢部の付勢力に抗して保持部に対して傾斜しにくく、保持部と一体に傾斜する。これにより、サイドブラシが所定の傾斜角度まで傾斜することができず、洗車機の動作エラーが発生する問題があった。
【００１０】
本発明は、洗車機の動作エラーを防止できる洗車機を提供することを目的とする。
【課題を解決するための手段】
【００１１】
上記目的を達成するために本発明は、被洗浄車両に対して前後に相対移動する洗車機本体と、前記洗車機本体に設けられて被洗浄車両の側面を洗浄するサイドブラシと、前記洗車機本体の上部に横設されるレールと、前記サイドブラシを左右方向に傾斜可能に支持する保持部と、前記保持部に軸支してモータの駆動により前記レールの上面を転動する駆動車輪と、前記保持部に軸支して前記駆動車輪よりも内側に配されるとともに前記レールの上面を転動する第１従動ローラと、前記保持部に上下移動可能に支持されて前記第１従動ローラよりも外側に配されるとともに前記レールの下面を転動する第２従動ローラと、前記第２従動ローラを上方に付勢するローラ付勢部とを備えたことを特徴とする。
【００１２】
また、本発明は上記構成の洗車機において、前記保持部と前記サイドブラシとを連結して前記サイドブラシを被洗浄車両の方向に付勢するブラシ付勢部が前記保持部に設けられることを特徴とする。
【００１３】
また、本発明は上記構成の洗車機において、前記第２従動ローラが左右方向で前記駆動車輪と前記第１従動ローラとの間に配されることを特徴とする。
【００１４】
また、本発明は上記構成の洗車機において、前記サイドブラシの傾斜中心に対して前記駆動車輪及び前記第２従動ローラが外側に配され、前記第１従動ローラが内側に配されることを特徴とする。
【００１５】
また、本発明は上記構成の洗車機において、前記保持部の前後に対向する対向壁と、前記対向壁に開口する上下に延びる長孔と、前記長孔に挿通される前記シャフトと、前記長孔の下方で前後の前記対向壁を連結する底壁とを備え、前記第２従動ローラがシャフトに軸受を介して支持され、前記ローラ付勢部が前記シャフトと前記底壁との間に配される圧縮バネから成ることを特徴とする。
【００１６】
また、本発明は上記構成の洗車機において、前記底壁に螺合して前記圧縮バネが挿通されるボルトと、前記ボルトに螺合して前記圧縮バネと前記底壁との間に配される調整ネジとを備えたことを特徴とする。
【発明の効果】
【００１７】
本発明によると、サイドブラシを傾斜可能に支持する保持部が駆動車輪、第１従動ローラ及び第２従動ローラを有する。駆動車輪及び第１従動ローラはレールの上面を転動し、第１従動ローラが駆動車輪よりも内側に配される。第２従動ローラはレールの下面を転動して第１従動ローラよりも外側に配され、ローラ付勢部により上方に付勢される。
【００１８】
これにより、駆動車輪が摩耗してもローラ付勢部の付勢によって第２従動ローラ及び駆動車輪がレールに押しつけられる。このため、駆動車輪の空転を防止して被洗浄車両に当接するサイドブラシが所定の傾斜角度に配され、洗車機の動作エラーを防止することができる。また、サイドブラシが傾斜限界まで傾斜するとローラ付勢部の付勢力に抗して保持部が第１従動ローラを支点に傾斜する。従って、駆動車輪が空転してサイドブラシを退避させることができ、被洗浄車両及びサイドブラシの破損を防止することができる。
【図面の簡単な説明】
【００１９】
【図１】本発明の実施形態の洗車機を示す側面図
【図２】本発明の実施形態の洗車機を示す正面図
【図３】本発明の実施形態の洗車機のサイドラシ及び保持部の概略正面図
【図４】本発明の実施形態の洗車機の保持部を示す正面断面図
【図５】本発明の実施形態の洗車機の保持部を示す側面断面図
【発明を実施するための形態】
【００２０】
以下に図面を参照して本発明の実施形態を説明する。図１、図２は本発明の一実施形態の洗車機ＷＡを示す側面図及び正面図である。洗車機ＷＡはリモートパネル７及び洗車機本体１を備えている。
【００２１】
リモートパネル７は被洗浄車両ＣＡの走行路Ｒに沿って配される。被洗浄車両ＣＡはリモートパネル７の面前で停車し、ユーザは被洗浄車両ＣＡ内からリモートパネル７の操作によって洗車条件の設定を行う。
【００２２】
リモートパネル７に設けたボタンにより、シャンプー、ワックス掛け、撥水コート等の液剤を用いた洗車条件を設定することができる。また、リモートパネル７によってフロントガード有り、フェンダーポール有り、サイドミラー有り、リヤワイパ有り、ルーフキャリア有り等の装備品の設定もすることができる。
【００２３】
洗車機本体１は左右の対向する２つのスタンド部９０と、スタンド部９０の上端を連結する天井部９１とを有した門型に形成される。
【００２４】
地面Ｇ上には左右一対の走行レール２が敷設され、スタンド部９０の底面に設けた本体車輪３が走行レール２上に配される。これにより、洗車機本体１は走行レール２上に立設し、走行モータ（不図示）の駆動により走行レール２上を走行して被洗浄車両ＣＡに対して前後に移動する。
【００２５】
スタンド部９０には洗剤やワックス等の各種液剤を貯液した複数の貯液タンク（不図示）を収納するタンク収納部１７が配される。タンク収納部１７の上方には各貯液タンクからの液剤を分配する分配配管部１８が設けられる。分配配管部１８には噴射ノズルからなる第１浄水ノズル１１、第２浄水ノズル１３、第１洗剤ノズル１２、第２洗剤ノズル１５、撥水コートノズル１４、ワックスノズル１６がそれぞれ電磁弁（不図示）を介して導出される。
【００２６】
第１浄水ノズル１１、第２浄水ノズル１３は洗車機本体１の入口面１ａ側及び出口面１ｂ側にそれぞれ配され、被洗浄車両ＣＡに対して洗浄水を噴射する。第１洗剤ノズル１２、第２洗剤ノズル１５は洗車機本体１の入口面１ａ側及び出口面１ｂ側にそれぞれ配され、被洗浄車両ＣＡに対して洗剤を噴射する。撥水コートノズル１４及びワックスノズル１６は洗車機本体１の出口面１ｂ側に配される。撥水コートノズル１４は被洗浄車両ＣＡに対して撥水コート剤の液体を噴射する。ワックスノズル１６は被洗浄車両ＣＡに対して液体のワックスを噴射する。
【００２７】
洗車機本体１の一方のスタンド部９０の前面には操作パネル８が配される。操作パネル８は洗車条件を設定するリモートパネル７と同様の操作ボタン（不図示）を備えている。また、スタンド部９０の前面には車両形状センサ９が設けられている。車両形状センサ９は光電センサや超音波センサ等から成り、洗車機本体１に進入する被洗浄車両ＣＡの車長及び外面形状を検知する。
【００２８】
洗車機本体１には気流を発生して被洗浄車両ＣＡを乾燥させるブロア２０が設けられる。ブロア２０にはサイド送風ノズル２２及びトップ送風ノズル２１が接続される。サイド送風ノズル２２は両スタンド部９０にそれぞれ設けられ、被洗浄車両ＣＡの側面に向けて送風する。トップ送風ノズル２１は天井部９１に設けられ、被洗浄車両ＣＡの上面に向けて送風する。
【００２９】
洗車機本体１には被洗浄車両ＣＡ上に摺動してブラッシングするロッカーブラシ６、トップブラシ４及びサイドブラシ５から成る複数の回転ブラシが設けられる。ロッカーブラシ６は左右一対設けられ、被洗浄車両ＣＡの両側面の下部を洗浄する。トップブラシ４は天井部９１に横設され、被洗浄車両ＣＡの上面を洗浄する。サイドブラシ５は左右一対設けられ、被洗浄車両ＣＡの側面及び後面を洗浄する。
【００３０】
図３はサイドブラシ５の概略正面図を示している。洗車機本体１の上部に配される天井部９１にはレール２６が横設される。レール２６には左右一対の保持部２５が設けられる。保持部２５は回転軸５ａを上下方向に配したサイドブラシ５を保持する。サイドブラシ５は保持部２５により左右方向に傾斜可能に支持される。
【００３１】
図４、図５は左方の保持部２５の正面図及び側面断面図を示している。右方の保持部２５は左方の保持部２５と左右対称に構成される。図４において、右側が洗車機本体１の内側を示し、左側が洗車機本体１の外側を示している。
【００３２】
保持部２５は複数の金属板により形成され、前後に対向する一対の対向壁２５ａ、上壁２５ｄ及び底壁２５ｃによりレール２６の前後面及び上下面を囲む。前方の対向壁２５ａ
上にはサイドブラシ５を軸支する軸支部２４が設けられる。
【００３３】
サイドブラシ５の回転軸５ａは水平断面が矩形の中空のロッド５ｂに挿通され、ロッド５ｂ内に配した軸受（不図示）により回転可能に支持される。回転軸５ａはロッド５ｂの上端に配したフランジ５ｃを貫通し、フランジ５ｃに取り付けられた回転モータ３６にチェーン２３を介して連結される。回転モータ３６の駆動によってサイドブラシ５が上下に延びる回転軸５ａを中心に回転する。
【００３４】
また、ロッド５ｂの前後面には軸部５ｄが突設される。軸支部２４には軸部５ｄに嵌合する軸受２４ａが設けられ、サイドブラシ５は傾斜中心５ｅで傾斜可能に支持される。サイドブラシ５の傾斜によりフランジ５ｃが保持部２５の上壁２５ｄに当接すると、サイドブラシ５が傾斜限界に到達して保持部２５に対して傾斜できなくなる。
【００３５】
軸支部２４の上方には傾斜中心５ｅよりも外側に傾斜センサ３９が設けられる。傾斜センサ３９はロッド５ｂの側面を監視し、サイドブラシ５の傾斜角度を検知する。サイドブラシ５は所定の傾斜角度（傾斜限界よりも小さい角度）に配されて被洗浄車両ＣＡの洗浄を行う。
【００３６】
また、保持部２５にはレール２６上を転動する駆動車輪２７、従動ローラ３４（第１従動ローラ）、従動ローラ２９（第２従動ローラ）、従動ローラ３０、従動ローラ２８、従動ローラ３８が設けられる。
【００３７】
駆動車輪２７は軸方向を水平に配して保持部２５に軸支され、サイドブラシ５の傾斜中心５ｅよりも外側に配される。駆動車輪２７は保持部２５に取り付けられる移動モータ３５の駆動によりレール２６の上面２６ａを転動する。レール２６の上面２６ａ及び下面２６ｂは前後端に傾斜面が形成され、駆動車輪２７の周面は上面２６ａの前後の傾斜面に沿ってＶ字状に形成される。これにより、駆動車輪２７はレール２６の上面２６ａ上を安定して転動することができる。
【００３８】
従動ローラ３４（第１従動ローラ）は軸方向を水平に対して傾斜して保持部２５に軸支され、上面２６ａの前後の傾斜面に沿って前後一対設けられる。これにより、従動ローラ３４はレール２６の上面２６ａを転動する。また、従動ローラ３４は駆動車輪２７よりも内側に配され、従動ローラ３４と駆動車輪２７との間にサイドブラシ５の傾斜中心５ｅが配される。
【００３９】
従動ローラ２９（第２従動ローラ）及び従動ローラ３０は軸方向を水平に配して保持部２５に軸支され、レール２６の下面２６ｂを転動する。サイドブラシ５の傾斜中心５ｅに対して従動ローラ２９は外側に配され、従動ローラ３０は内側に配される。また、従動ローラ２９及び従動ローラ３０は駆動車輪２７よりも内側に配され、従動ローラ３４よりも外側に配される。
【００４０】
従動ローラ２８及び従動ローラ３８は軸方向を鉛直に配して保持部２５に軸支され、レール２６の側面２６ｃを転動する。また、従動ローラ２８及び従動ローラ３８はそれぞれ従動ローラ２９及び従動ローラ３０の直上に配される。
【００４１】
従動ローラ３０の下方には保持部２５とロッド５ｂとを連結する引張バネから成るブラシ付勢部３７が設けられる。ブラシ付勢部３７は伸縮方向を水平に配され、サイドブラシ５を被洗浄車両ＣＡの方向に付勢する。
【００４２】
従動ローラ２９は内周部に軸受２９ｂを保持し、軸受２９ｂには前後方向に延びるシャ
フト２９ａが嵌合する。シャフト２９ａは保持部２５の前後に対向する対向壁２５ｂに設けた上下に延びる長孔２５ａに挿通され、両端にボルト２９ｃを螺合して抜け止めされる。これにより、従動ローラ２９は上下方向に移動可能に配される。
【００４３】
また、シャフト２９ａと保持部２５の底壁２５ｃとの間にはシャフト２９ａを介して従動ローラ２９を上方に付勢する前後一対のローラ付勢部３２が設けられる。ローラ付勢部３２は圧縮バネから成り、底壁２５ｃに螺合するボルト３１に挿通され、ボルト３１に螺合するダブルナットから成る調整ネジ３３により所定の付勢力に調整される。なお、シャフト２９ａの周面にローラ付勢部３２を係止する環状溝または突起を設けてもよい。これにより、ローラ付勢部３２の位置ずれを防ぐことができる。
【００４４】
上記構成の洗車機ＷＡにおいて、リモートパネル７から所定の洗車設定を行い、所定の位置に被洗浄車両ＣＡを停止させる。その後、洗車機本体１が被洗浄車両ＣＡの後方に向かって移動し、サイドブラシ５、ロッカーブラシ６、トップブラシ４によって被洗浄車両ＣＡの洗浄が行われる。
【００４５】
サイドブラシ５は移動モータ３５の駆動により左右方向の互いに接近する方向に移動する。サイドブラシ５が被洗浄車両ＣＡの側面に当接すると、ブラシ付勢部３７の付勢力に抗してロッド５ｂが傾斜する。この時、ローラ付勢部３２の付勢により従動ローラ２９及び駆動車輪２７がレール２６を押圧するため、駆動車輪２７の空転が防止される。
【００４６】
なお、洗車機ＷＡの経年使用によって駆動車輪２７が摩耗しても、上記と同様にローラ付勢部３２が従動ローラ２９を付勢して駆動車輪２７の空転を防止することができる。
【００４７】
サイドブラシ５が所定の傾斜角度に配されたことを傾斜センサ３９が検知すると、サイドブラシ５の左右方向の移動を停止する。そして、洗車機本体１が前後方向に移動し、サイドブラシ５によって被洗浄車両ＣＡの側面の洗浄が行われる。この時、傾斜センサ３９の検知により、サイドブラシ５の傾斜角度を一定に維持するように駆動車輪２７が駆動される。
【００４８】
また、被洗浄車両ＣＡの車両幅が急激に拡大した場合や傾斜センサ３９の誤検知があった場合等に、サイドブラシ５が傾斜限界に到達する場合がある。傾斜限界のサイドブラシ５が更に被洗浄車両ＣＡから押圧されると、従動ローラ３４の下端を中心に保持部２５がサイドブラシ５とともに傾斜する。これにより、駆動車輪２７がローラ付勢部３２の付勢力に抗して持ち上げられて空転し、サイドブラシ５が被洗浄車両ＣＡから退避する。従って、サイドブラシ５による過度な押圧を防止し、被洗浄車両ＣＡ及びサイドブラシ５の破損を防止することができる。
【００４９】
回転ブラシによる洗浄に続いて、洗車機本体１が前後方向に移動しながらトップ送風ノズル２１、サイド送風ノズル２２によって被洗浄車両ＣＡの乾燥が開始される。この時、トップ送風ノズル２１は車両形状センサ９の検知結果に基づいて昇降し、被洗浄車両ＣＡの上面を乾燥する。
【００５０】
本実施形態によると、サイドブラシ５を傾斜可能に支持する保持部２５が駆動車輪２７、従動ローラ３４（第１従動ローラ）及び従動ローラ２９（第２従動ローラ）を有する。駆動車輪２７及び従動ローラ３４はレール２６の上面を転動し、従動ローラ３４が駆動車輪２７よりも内側に配される。従動ローラ２９はレール２６の下面を転動して従動ローラ３４よりも外側に配され、ローラ付勢部３２により上方に付勢される。
【００５１】
これにより、駆動車輪２７が摩耗してもローラ付勢部３２の付勢によって従動ローラ２
９及び駆動車輪２７がレール２６に押しつけられる。このため、駆動車輪２７の空転を防止して被洗浄車両ＣＡに当接するサイドブラシ５が所定の傾斜角度に配され、洗車機ＷＡの動作エラーを防止することができる。また、サイドブラシ５が傾斜限界まで傾斜するとローラ付勢部３２の付勢力に抗して保持部２５が従動ローラ３０を支点に傾斜する。従って、駆動車輪２７が空転してサイドブラシ５を退避させることができ、被洗浄車両ＣＡ及びサイドブラシ５の破損を防止することができる。
【００５２】
また、サイドブラシ５を被洗浄車両ＣＡの方向に付勢するブラシ付勢部３７が保持部２５に設けられる。これにより、被洗浄車両ＣＡをサイドブラシ５が押圧して洗浄力を向上できる。また、サイドブラシ５がブラシ付勢部３７に抗して傾斜する際に保持部２５が傾斜方向に加重されても、ローラ付勢部３２の付勢によって駆動車輪２７の空転を防止することができる。
【００５３】
なお、ブラシ付勢部３７が設けられる場合であっても、ロッド５ｂの軸部５ｄと軸受２４ａとの間の摩擦力が大きいと、該摩擦力に抗してサイドブラシ５が傾斜する際に保持部２５が傾斜方向に加重される。この場合も同様に、ローラ付勢部３２の付勢によって駆動車輪２７の空転を防止することができる。
【００５４】
また、従動ローラ２９が左右方向で駆動車輪２７と従動ローラ３４との間に配される。これにより、ローラ付勢部３２の付勢により駆動車輪２７及び従動ローラ３４がレール２６に押しつけられ、保持部２５を安定して走行させることができる。なお、従動ローラ２９を駆動車輪２７よりも外側に配してもよい。
【００５５】
また、サイドブラシ５の傾斜中心５ｅに対して駆動車輪２７及び従動ローラ２９が外側に配され、従動ローラ３４が内側に配される。これにより、サイドブラシ５の自重が駆動車輪２７と従動ローラ３４との間に加わる。また、左右方向で従動ローラ２９が駆動車輪２７に近づけられ、駆動車輪２７をレール２６に押しつけるローラ付勢部３２の付勢力を小さくすることができる。このため、保持部２５をより安定して走行させることができる。
【００５６】
なお、サイドブラシ５の傾斜中心５ｅに対して従動ローラ２９を内側に配してもよく、従動ローラ２９及び従動ローラ３０を傾斜中心５ｅよりも外側に配してもよい。省スペース化及び保持部２５の走行の安定性から、傾斜中心５ｅに対して従動ローラ２９が外側に配され、従動ローラ３０が内側に配されることが好ましい。
【００５７】
また、保持部２５の対向壁２５ｂに設けた長孔２５ａに従動ローラ２９のシャフト２９ａが挿通され、シャフト２９ａと底壁２５ｃとの間に配した圧縮バネによりローラ付勢部３２が形成される。これにより、従動ローラ２９を上方に付勢するローラ付勢部３２を容易に実現することができる。
【００５８】
また、ローラ付勢部３２を形成する圧縮バネが挿通されるボルト３１が底壁２５ｃに螺合し、圧縮バネと底壁２５ｃとの間に調整ネジ３３が配される。これにより、ローラ付勢部３２の付勢力を容易に調整することができる。
【００５９】
本実施形態において、ローラ付勢部３２が従動ローラ２９に設けられるが、従動ローラ３４よりも外側に配される従動ローラ３０に設けてもよく、従動ローラ２９及び従動ローラ３０の両方に設けてもよい。また、圧縮バネに替えて小型のエアシリンダによりローラ付勢部３２を構成してもよい。
【産業上の利用可能性】
【００６０】
本発明によると、被洗浄車両の側面を洗浄するサイドブラシを備えた洗車機に利用することができる。
【符号の説明】
【００６１】
１      洗車機本体
２      走行レール
３      本体車輪
４      トップブラシ
５      サイドブラシ
５ａ    回転軸
５ｂ    ロッド
５ｃ    フランジ
５ｄ    軸部
５ｅ    傾斜中心
６      ロッカーブラシ
７      リモートパネル
８      操作パネル
９      車両形状センサ
２０      ブロア
２１      トップ送風ノズル
２２      サイド送風ノズル
２３      チェーン
２４      軸支部
２４ａ    軸受
２５      保持部
２５ａ    長孔
２５ａ    対向壁
２５ｂ    対向壁
２５ｃ    底壁
２５ｄ    上壁
２６      レール
２６ａ    上面
２６ｂ    下面
２６ｃ    側面
２７      駆動車輪
２８      従動ローラ
２９      従動ローラ（第２従動ローラ）
２９ａ    シャフト
２９ｂ    軸受
２９ｃ    ボルト
３０      従動ローラ
３１      ボルト
３２      ローラ付勢部
３３      調整ネジ
３４      従動ローラ（第１従動ローラ）
３５      移動モータ
３６      回転モータ
３７      ブラシ付勢部
３８      従動ローラ
３９      傾斜センサ
９０      スタンド部
９１      天井部
ＣＡ      被洗浄車両
ＷＡ      洗車機
【図１】
2020097420.tif 000003
【図２】
2020097420.tif 000004
【図３】
2020097420.tif 000005
【図４】
2020097420.tif 000006
【図５】
2020097420.tif 000007